(57)【要約】【課題】平面ディスプレイを手動で左右水平方向に回動させると共に、前後方向に手動で傾動（チルト、俯仰）させ、しかも、同時に、上下方向にも手動で高さ調整が可能で、構造が簡単で容易に手動操作を行うことができる平面ディスプレイのヒンジ装置を提供する。【解決手段】平面ディスプレイを下部で支持すると共に、これを左右水平方向に手動で回動させる機構と、前後方向に手動で傾動させる機構と、又は上下方向に手動で昇降させる機構から成るヒンジ装置であって；上記左右水平方向の回動機構が、水平回動位置保持手段と、該水平回動位置保持手段に上記平面ディスプレイの左右水平方向の回動運動を伝える伝動手段から構成され；上記前後方向の傾動機構が、前後傾動位置保持手段と、該前後傾動位置保持手段に上記平面ディスプレイの前後傾動運動を伝える伝動手段から構成され；上記上下方向の昇降機構が、昇降位置保持手段と、該昇降位置保持手段に上記平面ディスプレイの昇降運動を伝える伝動手段から構成される。【選択図】        図３
2007334104.tif 000002
【特許請求の範囲】
【請求項１】
平面ディスプレイを下部で支持すると共に、これを左右水平方向に手動で回動させる機構と、前後方向に手動で傾動させる機構と、又は上下方向に手動で昇降させる機構から成るヒンジ装置であって；上記左右水平方向の回動機構が、水平回動位置保持手段と、該水平回動位置保持手段に上記平面ディスプレイの左右水平方向の回動運動を伝える伝動手段から構成され；上記前後方向の傾動機構が、前後傾動位置保持手段と、該前後傾動位置保持手段に上記平面ディスプレイの前後傾動運動を伝える伝動手段から構成され；上記上下方向の昇降機構が、昇降位置保持手段と、該昇降位置保持手段に上記平面ディスプレイの昇降運動を伝える伝動手段から構成される；ことを特徴とする平面ディスプレイのヒンジ装置。
【請求項２】
上記水平回動位置保持手段が、回転フリクション手段であることを特徴とする請求項１に記載の平面ディスプレイのヒンジ装置。
【請求項３】
上記回動運動の伝動手段が、上記平面ディスプレイの裏面部に取り付けられたディスプレイ取付フレームと、該ディスプレイ取付フレームを昇降自在に設けるガイドフレームと、該ガイドフレームを取り付け固定する傾動プレートと、該傾動プレートを傾動自在に設ける左右回動プレートと、該左右回動プレートに固定されると共に、上記水平回動位置保持手段に連結される作動歯車と、から構成されることを特徴とする請求項１または２に記載の平面ディスプレイのヒンジ装置。
【請求項４】
上記前後傾動位置保持手段が、複数枚の摩擦板から成るフリクション手段であることを特徴とする請求項１、２または３に記載の平面ディスプレイのヒンジ装置。
【請求項５】
上記前後傾動運動の伝動手段が、上記平面ディスプレイの裏面部に取り付けられたディスプレイ取付フレームと、該ディスプレイ取付フレームを昇降自在に設けるガイドフレームと、該ガイドフレームを取り付け固定する傾動プレートと、該傾動プレートの傾動運動を上記前後傾動位置保持手段に伝える水平枢軸と、から構成されることを特徴とする請求項１、２、３または４に記載の平面ディスプレイのヒンジ装置。
【請求項６】
上記水平枢軸に取り付けられると共に、上記傾動プレートと左右回動プレートの間に設置され、相互に捩り方向が逆になっているトーションスプリングを、少なくとも一対設けたことを特徴とする請求項５に記載の平面ディスプレイのヒンジ装置。
【請求項７】
上記昇降位置保持手段が、回転フリクション手段であることを特徴とする請求項１、２、３、４、５または６に記載の平面ディスプレイのヒンジ装置。
【請求項８】
上記昇降運動の伝動手段が、上記平面ディスプレイの裏面部に取り付けられたディスプレイ取付フレームと、該ディスプレイ取付フレームに取り付けられた上下移動板と、該上下移動板に回転自在に設けられると共に、上下ベースプレートに取り付けられたラックに噛み合って、上記昇降位置保持手段に連結されるピニオンと、から構成されることを特徴とする請求項１、２、３、４、５、６または７に記載の平面ディスプレイのヒンジ装置。
【発明の詳細な説明】
【技術分野】
【０００１】
本発明は、液晶ディスプレイやプラズマディスプレイなどの平面ディスプレイを左右水平方向に手動で回動すると共に、前後方向に手動で傾動（チルト、俯仰）せしめ、また、上下方向にも手動で昇降移動させることにできる、平面ディスプレイのヒンジ装置に関するものである。
【背景技術】
【０００２】
従来の平面ディスプレイのヒンジ装置としては、大重量のディスプレイパネルを、そのパネル面の向き（水平角・俯仰角）を変更可能とするディスプレイの支持装置（例えば、特許文献１参照）があった。また、フリクション機構を構成するワンウェイクラッチやトルクリミッターが昇降部材の上動時に弱いフリクションを創出して、ディスプレイモニターの昇降操作を行うディスプレイモニター用スタンドがあった。（例えば、特許文献２参照）
【０００３】
しかし、上記従来の装置は、いずれも、左右水平方向に回動させると共に、前後方向に俯仰傾動させ、しかも、上下方向にも昇降させることが可能なヒンジ装置はなかった。
【特許文献１】特開２００５−２０８０８０号公報
【特許文献２】特開２００５−３００９２２号公報
【発明の開示】
【発明が解決しようとする課題】
【０００４】
本発明が解決しようとする課題は、平面ディスプレイを左右水平方向に手動で回動させると共に、前後方向に手動で傾動（チルト、俯仰）させることができ、また同時に、上下方向に手動で高さ調整が可能で、構造が簡単で手動操作を容易に行うことができる平面ディスプレイのヒンジ装置を提供することにある。
【課題を解決するための手段】
【０００５】
本発明は、平面ディスプレイを下部で支持すると共に、これを左右水平方向に手動で回動させる機構と、前後方向に手動で傾動させる機構と、又は上下方向に手動で昇降させる機構から成るヒンジ装置であって；上記左右水平方向の回動機構が、水平回動位置保持手段と、該水平回動位置保持手段に上記平面ディスプレイの左右水平方向の回動運動を伝える伝動手段から構成され；上記前後方向の傾動機構が、前後傾動位置保持手段と、該前後傾動位置保持手段に上記平面ディスプレイの前後傾動運動を伝える伝動手段から構成され；上記上下方向の昇降機構が、昇降位置保持手段と、該昇降位置保持手段に上記平面ディスプレイの昇降運動を伝える伝動手段から構成される；ことを特徴とする。上記水平回動位置保持手段は回転フリクション手段であることも特徴とする。また、上記回動運動の伝動手段が、上記平面ディスプレイの裏面部に取り付けられたディスプレイ取付フレームと、該ディスプレイ取付フレームを昇降自在に設けるガイドフレームと、該ガイドフレームを取り付け固定する傾動プレートと、該傾動プレートを傾動自在に設ける左右回動プレートと、該左右回動プレートに固定されると共に、上記水平回動位置保持手段に連結される作動歯車と、から構成されることを特徴とする。さらに、上記前後傾動位置保持手段が、複数枚の摩擦板から成るフリクション手段であることを特徴とする。上記前後傾動運動の伝動手段が、上記平面ディスプレイの裏面部に取り付けられたディスプレイ取付フレームと、該ディスプレイ取付フレームを昇降自在に設けるガイドフレームと、該ガイドフレームを取り付け固定する傾動プレートと、該傾動プレートの傾動運動を上記前後傾動位置保持手段に伝える水平枢軸と、から構成されることを特徴とする。またさらに、上記水平枢軸に取り付けられると共に、上記傾動プレートと左右回動プレートの間に設置され、相互に捩り方向が逆になっているトーションスプリングを、少なくとも一対設けたことを特徴とする。更に又、上記昇降位置保持手段が、回転フリクション手段であることを特徴とする。また、上記昇降運動の伝動手段が、上記平面ディスプレイの裏面部に取り付けられたディスプレイ取付フレームと、該ディスプレイ取付フレームに取り付けられた上下移動板と、該上下移動板に回転自在に設けられると共に、上下ベースプレートに取り付けられたラックに噛み合って、上記昇降位置保持手段に連結されるピニオンと、から構成されることを特徴とする。
【発明の効果】
【０００６】
本発明の平面ディスプレイのヒンジ装置は、平面ディスプレイを手動で左右水平方向に回動させると共に、前後方向に手動で傾動（チルト、俯仰）させ、しかも、同時に、上下方向にも手動で高さ調整が可能で、構造が簡単で容易に手動操作を行うことができるという利点がある。
【発明を実施するための最良の形態】
【０００７】
図１は、本発明のヒンジ装置を備えた平面ディスプレイの全体斜視図であって、Ｄは、液晶ディスプレイやプラズマディスプレイなどの平面ディスプレイ、Ｈは、前記平面ディスプレイＤを下部で支持すると共に、これを左右水平方向に手動で回動させたり、前後に手動で傾動（チルト、俯仰）させ、また、上下（高さ）方向にも手動で昇降移動させるための、ヒンジ装置である。Ｂはベースプレートであって、前記ヒンジ装置Ｈを介して、上記平面ディスプレイＤを安定して支持する。
【０００８】
図２からも明らかなように、上記ヒンジ装置Ｈは、左右水平方向に回動させると共に、前後方向にも手動で傾動させるための第一ヒンジ部（イ）と、上下方向に昇降移動させるための第二ヒンジ部（ロ）から構成されている。図３は、上記平面ディスプレイＤを取り外した状態のヒンジ装置ＨおよびベースプレートＢの拡大斜視図である。
【０００９】
図４は、上記第一ヒンジ部（イ）を更に拡大した斜視図であって、上記ベースプレートＢ（図３参照）にはベース盤１およびストッパ２が取り付け固定されている。上記ベース盤１には作動歯車３が回動自在に取り付けられている。
【００１０】
図５から明らかなように、上記作動歯車３は小歯車４を介して、例えば、複数の回転摩擦板のような回転フリクション手段５に連動している。従って、上記作動歯車３は、前記回転フリクション手段５により、任意の回転位置に安定して停止するようになっている。
【００１１】
上記作動歯車３には、ストッパープレート６が取り付け固定されている。該ストッパープレート６には、所定見込み角に亘って切込み６ａが形成されていて、上記ストッパ２により回動角が規制されるようになっている。上記ストッパープレート６上には、左右回動プレート７が一体的に取り付け固定されている。
【００１２】
図４に示すように、上記左右回動プレート７には、水平枢軸８を介して傾動プレート９が傾動自在に取り付けられている。図６から明らかなように、該水平枢軸８には、トーションスプリング１０が取り付けられていて、スプリングの一端部は上記左右回動プレート７に当接すると共に、他端部は傾動プレート９に当接している。また、トーションスプリング１０は、少なくとも一対（本実施例では二対）設けられていて、相互に捩り方向が逆になっている。さらに、上記水平枢軸８には、複数枚の摩擦板等から成るフリクション手段１１が取り付けられている。従って、上記傾動プレート９は、トーションスプリング１０により、手動で傾動操作を容易に行うことができると共に、フリクション手段１１により任意の傾動位置に安定して停止できるようになっている。
【００１３】
以上、説明した第一ヒンジ部（イ）により、図７及び図８に示すように、上記平面ディスプレイＤを手動により左右水平方向に回動させ、任意の水平回動位置に安定して停止させておくことができるだけでなく、図９及び図１０に示すように、上記平面ディスプレイＤを手動により前後方向に傾動（俯仰）させ、任意傾動位置に安定して停止させておくことができる。
【００１４】
図１１および図１２から明らかなように、上記第二ヒンジ部（ロ）の傾動プレート９上には、上記第二ヒンジ部（ロ）の上下ベースプレート１２が取り付け固定されている。該上下ベースプレート１２には、左右位置にガイドフレーム１３が取り付け固定されている。該ガイドフレーム１３の上部には定荷重バネコンストン１４が回転自在に取り付けられている。
【００１５】
上記左右のガイドフレーム１３間には、上下スライドフレーム１５（図１３も参照）が挟設されていて、上記左右の定荷重バネコンストン１４の先端部が該フレーム１５の下部に固定され、上下移動可能に懸架されている。該上下スライドフレーム１５の上端部には、上記平面ディスプレイＤを取り付け固定するディスプレイ取付フレーム１６が設けられている。
【００１６】
図１４は、上下移動（スライド）機構を説明する図であって、上記上下ベースプレート１２に、適当な本数（本実施例では３本）の支柱１７が植設されている。これらの支柱１７には、スライドスリーブ１８が上下スライド可能に外挿されている。該スライドスリーブ１８には、上下移動板１９が取り付けられている。該上下移動板１９にはピニオン２０が回転自在に設けられている。該ピニオン２０は垂直ラック２１に噛み合っている。該ラック２１は、上記上下ベースプレート１２に植設固定されている。従って、上下移動板１９の上下移動に伴って、上記ピニオン２０が上記垂直ラック２１に沿って転動する。ピニオン２０の回転は、例えば、複数枚の回転摩擦板のような回転フリクション手段２２により規制され、ピニオン２０を垂直ラック２１の任意の垂直位置に安定して停止させておくことができる。
【００１７】
図１５および図１６は、上下移動板１９が上昇して平面ディスプレイＤを上昇せしめた状態を示す。
【図面の簡単な説明】
【００１８】
【図１】本発明のヒンジ装置を備えた平面ディスプレイの全体斜視図である。
【図２】図１の斜め後ろから見た全体斜視図である。
【図３】ヒンジ装置およびベースプレートの拡大斜視図である。
【図４】第一ヒンジ部の拡大斜視図である。
【図５】水平回動機構を示す分解斜視図である。
【図６】第一ヒンジ部の分解斜視図である。
【図７】平面ディスプレイを手動により左水平方向に回動させた状態の全体斜視図である。
【図８】平面ディスプレイを手動により右水平方向に回動させた状態の全体斜視図である。
【図９】平面ディスプレイを手動により前方向に傾動させた状態の全体斜視図である。
【図１０】平面ディスプレイを手動により後方向に傾動させた状態の全体斜視図である。
【図１１】第二ヒンジ部を示す平面ディスプレイの全体斜視図である。
【図１２】第二ヒンジ部の拡大斜視図である。
【図１３】図１２の要部の斜視図である。
【図１４】第二ヒンジ部の作用説明図である。
【図１５】第二ヒンジ部の作用説明図である。
【図１６】平面ディスプレイを上昇せしめた状態の全体斜視図である。
【符号の説明】
【００１９】
イ    第一ヒンジ部
ロ    第二ヒンジ部
１    ベース盤
２    ストッパ
３    作動歯車
４    小歯車
５    回転フリクション手段
６    ストッパープレート
６ａ  切込み
７    左右回動プレート
８    水平枢軸
９    傾動プレート
１０  トーションスプリング
１１  フリクション手段
１２  上下ベースプレート
１３  ガイドフレーム
１４  定荷重バネコンストン
１５  上下スライドフレーム
１６  ディスプレイ取付フレーム
１７  支柱
１８  スライドスリーブ
１９  上下移動板
２０  ピニオン
２１  垂直ラック
２２  回転フリクション手段
Ｂ    ベースプレート
Ｄ    平面ディスプレイ
Ｈ    ヒンジ装置
【図１】
2007334104.tif 000003
【図２】
2007334104.tif 000004
【図３】
2007334104.tif 000005
【図４】
2007334104.tif 000006
【図５】
2007334104.tif 000007
【図６】
2007334104.tif 000008
【図７】
2007334104.tif 000009
【図８】
2007334104.tif 000010
【図９】
2007334104.tif 000011
【図１０】
2007334104.tif 000012
【図１１】
2007334104.tif 000013
【図１２】
2007334104.tif 000014
【図１３】
2007334104.tif 000015
【図１４】
2007334104.tif 000016
【図１５】
2007334104.tif 000017
【図１６】
2007334104.tif 000018